【手続補正書】
【提出日】平成16年1月23日(2004.1.23)
【手続補正１】
【補正対象書類名】明細書
【補正対象項目名】発明の名称
【補正方法】変更
【補正の内容】
【発明の名称】データ送信装置、データミキシング装置、データ受信装置、端末装置、多地点会議システム、同期確立方法、データ生成プログラム、データミキシングプログラム、およびデータ受信プログラム
【手続補正２】
【補正対象書類名】明細書
【補正対象項目名】特許請求の範囲
【補正方法】変更
【補正の内容】
【特許請求の範囲】
【請求項１】
端末装置群を構成する各端末より入力される入力データから原パケットデータを生成するデータ入力処理手段と、
前記原パケットデータの一部を同期用情報に変更することで前記端末装置群間における送信の同期確立過程に用いられる同期パケットデータを生成する同期パケット生成手段と、
前記送信の同期確立過程において前記同期パケットデータを対象パケットデータとする同期が確立した後、前記原パケットデータを前記対象パケットデータとし、当該対象パケットデータを自装置外へ送信する際のタイミングを表わすタイミング指標を前記対象パケットデータに付加して伝送パケットデータを生成するタイミング指標付加手段と、
当該タイミング指標付加手段から出力される前記伝送パケットデータを自装置から送出する送出手段と、
を備えることを特徴とするデータ送信装置。
【請求項２】
請求項１に記載のデータ送信装置であって、
前記同期パケットデータは、前記原パケットデータのペイロードの一部を前記同期用情報に書き換えることにより生成されることを特徴とするデータ送信装置。
【請求項３】
請求項２に記載のデータ送信装置であって、
所定の基準に従って、当該データ送信装置における同期が確立したと判断されるまでは、前記同期パケットデータの生成を繰り返すことを特徴とするデータ送信装置。
【請求項４】
請求項３に記載のデータ送信装置であって、
前記タイミング指標が、前記伝送パケットデータのそれぞれに固有に与えられるシーケンス番号であることを特徴とするデータ送信装置。
【請求項５】
請求項３に記載のデータ送信装置であって、
前記タイミング指標が、ＮＴＰ（Network Time Protocol）による時刻情報であることを特徴とするデータ送信装置。
【請求項６】
請求項１ないし請求項５のいずれかに記載のデータ送信装置であって、
前記入力データが、音声データを含むことを特徴とするデータ送信装置。
【請求項７】
請求項６に記載のデータ送信装置であって、
前記入力データが、映像データをさらに含むことを特徴とするデータ送信装置。
【請求項８】
端末装置群を構成する各端末より送出される伝送パケットデータに当該伝送パケットデータが前記端末装置群の内のいずれの端末装置のものであるかを示す識別子を付加する識別子付加手段と、
前記各端末より送出される前記伝送パケットデータが同期用情報を含む同期パケットデータであるか否かを判定する判定手段と、
該判定手段によって前記伝送パケットデータが前記同期パケットデータであると判定される場合に当該伝送パケットデータの前記同期用情報を廃棄した残りのデータをダミーパケットデータとして出力する廃棄手段と、
前記伝送パケットデータが前記同期パケットデータである場合には前記ダミーパケットデータを用いると共に、前記伝送パケットデータが前記同期パケットデータでない場合には当該伝送パケットデータを用いて、前記各端末から送出される前記伝送パケットデータをミキシングして前記識別子に対応するミキシングパケットを生成するミキシング処理手段と、
を有して、当該ミキシング処理手段から出力される前記ミキシングパケットを前記各端末に送出することを特徴とするデータミキシング装置。
【請求項９】
請求項８に記載のデータミキシング装置であって、
前記廃棄手段は、前記同期パケットデータのうちペイロード部を破棄して前記ダミーパケットデータを得ることを特徴とするデータミキシング装置。
【請求項１０】
請求項８または請求項９に記載のデータミキシング装置であって、
各端末から送信する際のタイミングを表わすタイミング指標をミキシングパケットに付加する手段をさらに備えることを特徴とするデータミキシング装置。
【請求項１１】
端末装置群を構成する各端末より送出がなされる、所定の同期用情報および前記送出の際の送出タイミングを表わすタイミング指標を含む同期パケットデータ、または前記同期用情報もしくは前記タイミング指標を含まないパケットデータにより構成される伝送パケットデータに基づいて生成されたミキシングパケットデータを受信し、当該受信したミキシングパケットデータに含まれる前記同期用情報および前記タイミング指標に基づいて同期が確立したかどうかを判断する同期確立手段と、
前記ミキシングパケットの受信の際、前記同期確立手段が前記ミキシングパケットの受信における同期が確立したと判断するまでは前記ミキシングパケットを廃棄すると共に、前記同期確立手段が前記同期が確立したと判断した以降における前記ミキシングパケットを維持する検査手段と、
該検査手段に維持された前記ミキシングパケットから前記各端末より送出された伝送パケットデータを復元する復元手段と、
を備えることを特徴とするデータ受信装置。
【請求項１２】
請求項１１に記載のデータ受信装置であって、
前記検査手段が、順次に受信された複数のミキシングパケットデータにおける前記タイミング指標の一連性に基づいて、前記同期が確立したかどうかを判断することを特徴とするデータ受信装置。
【請求項１３】
請求項１２に記載のデータ受信装置であって、
前記伝送パケットデータが音声データを含むとともに、
前記検査手段が、前記タイミング指標に基づいて前記各端末との間のデータ送受信の遅延時間を特定する手段を含み、
前記データ受信装置が、前記遅延時間の情報に基づいて、自己端末装置から前記ミキシング装置に送信した音声データを、復元された伝送パケットデータから除去するエコーキャンセル手段をさらに備えることを特徴とするデータ受信装置。
【請求項１４】
請求項１ないし請求項７のいずれかに記載のデータ送信装置と、
請求項１１ないし請求項１３のいずれかに記載のデータ受信装置と、
を備えることを特徴とする端末装置。
【請求項１５】
各端末装置が請求項１４の端末装置として構成された端末装置群と、
前記端末装置群とネットワークを介して結合される請求項８ないし請求項１０のいずれかに記載のデータミキシング装置と、
を備えることを特徴とする多地点会議システム。
【請求項１６】
データを送受信する端末装置における前記データの送信または受信を行う際の同期を確立する方法であって、
所定の同期用情報および前記送信の際の送信タイミングを表わすタイミング指標を含む同期パケットデータを伝送パケットデータとして送信する工程と、
前記伝送パケットデータに基づいて生成されたミキシングパケットデータを受信し、当該受信したミキシングパケットデータに含まれる前記同期用情報および前記タイミング指標に基づいて同期が確立したかどうかを判断する工程と、
を含むことを特徴とする同期確立方法。
【請求項１７】
コンピュータにおいて実行されることにより、当該コンピュータから伝送パケットデータを送出する際の当該伝送パケットデータを当該コンピュータに生成させるプログラムであって、
端末装置群を構成する各端末より入力される入力データから原パケットデータを生成するステップと、
前記原パケットデータの一部を同期用情報に変更することで前記端末装置群間における送信および受信の同期確立過程に用いられる同期パケットデータを生成するステップと、
前記送信の同期確立過程において前記同期パケットデータを対象パケットデータとする同期が確立した後、前記原パケットデータを前記対象パケットデータとし、当該対象パケットデータを自装置外へ送信する際のタイミングを表わすタイミング指標を前記対象パケットデータに付加して伝送パケットデータを生成するステップと、
をコンピュータに実行させることを特徴とするデータ生成プログラム。
【請求項１８】
コンピュータにおいて実行されることにより、当該コンピュータに対して送出される伝送パケットデータを当該コンピュータにミキシングさせてミキシングパケットを生成させるプログラムであって、
端末装置群を構成する各端末より送出される伝送パケットデータに当該伝送パケットデータが前記端末装置群の内のいずれの端末装置のものであるかを示す識別子を付加するステップと、
前記各端末より送出される前記伝送パケットデータが同期用情報を含む同期パケットデータであるか否かを判定するステップと、
該判定手段によって前記伝送パケットデータが前記同期パケットデータであると判定される場合に当該伝送パケットデータの前記同期用情報を破棄した残りのデータをダミーパケットデータとして出力するステップと、
前記伝送パケットデータが前記同期パケットデータである場合には前記ダミーパケットデータを用いると共に、前記伝送パケットデータが前記同期パケットデータでない場合には当該伝送パケットデータを用いて、前記各端末から送出される前記伝送パケットデータをミキシングして前記識別子に対応するミキシングパケットを生成するステップと、
をコンピュータに実行させることを特徴とするデータミキシングプログラム。
【請求項１９】
コンピュータにおいて実行されることにより、当該コンピュータが受信した伝送パケットデータを当該コンピュータに復元させるためのプログラムであって、
端末装置群を構成する各端末より送出される伝送パケットデータおよび当該伝送パケットデータが前記端末装置群の内のいずれの端末装置のものであるかを示す識別子をミキシングされたミキシングパケットの受信の際、当該ミキシングパケットの受信における同期が確立するまでは前記ミキシングパケットを廃棄すると共に、前記同期が確立した以降における前記ミキシングパケットを維持する検査ステップと、
該検査ステップに維持された前記ミキシングパケットから前記各端末より送出された伝送パケットデータを復元する復元ステップと、
をコンピュータに実行させることを特徴とするデータ受信プログラム。
【手続補正３】
【補正対象書類名】明細書
【補正対象項目名】００１１
【補正方法】変更
【補正の内容】
【００１１】
【課題を解決するための手段】
上記課題を解決するため、請求項１の発明は、端末装置群を構成する各端末より入力される入力データから原パケットデータを生成するデータ入力処理手段と、前記原パケットデータの一部を同期用情報に変更することで前記端末装置群間における送信の同期確立過程に用いられる同期パケットデータを生成する同期パケット生成手段と、前記送信の同期確立過程において前記同期パケットデータを対象パケットデータとする同期が確立した後、前記原パケットデータを前記対象パケットデータとし、当該対象パケットデータを自装置外へ送信する際のタイミングを表わすタイミング指標を前記対象パケットデータに付加して伝送パケットデータを生成するタイミング指標付加手段と、当該タイミング指標付加手段から出力される前記伝送パケットデータを自装置から送出する送出手段と、を備えることを特徴とする。


【手続補正４】
【補正対象書類名】明細書
【補正対象項目名】００１３
【補正方法】変更
【補正の内容】
【００１３】
請求項３の発明は、請求項２に記載のデータ送信装置であって、所定の基準に従って、当該データ送信装置における同期が確立したと判断されるまでは、前記同期パケットデータの生成を繰り返すことを特徴とする。


【手続補正５】
【補正対象書類名】明細書
【補正対象項目名】００１８
【補正方法】変更
【補正の内容】
【００１８】
請求項８の発明は、端末装置群を構成する各端末より送出される伝送パケットデータに当該伝送パケットデータが前記端末装置群の内のいずれの端末装置のものであるかを示す識別子を付加する識別子付加手段と、前記各端末より送出される前記伝送パケットデータが同期用情報を含む同期パケットデータであるか否かを判定する判定手段と、該判定手段によって前記伝送パケットデータが前記同期パケットデータであると判定される場合に当該伝送パケットデータの前記同期用情報を廃棄した残りのデータをダミーパケットデータとして出力する廃棄手段と、前記伝送パケットデータが前記同期パケットデータである場合には前記ダミーパケットデータを用いると共に、前記伝送パケットデータが前記同期パケットデータでない場合には当該伝送パケットデータを用いて、前記各端末から送出される前記伝送パケットデータをミキシングして前記識別子に対応するミキシングパケットを生成するミキシング処理手段と、を有して、当該ミキシング処理手段から出力される前記ミキシングパケットを前記各端末に送出することを特徴とする。


【手続補正６】
【補正対象書類名】明細書
【補正対象項目名】００１９
【補正方法】変更
【補正の内容】
【００１９】
請求項９の発明は、請求項８に記載のデータミキシング装置であって、前記廃棄手段は、前記同期パケットデータのうちペイロード部を破棄して前記ダミーパケットデータを得ることを特徴とする。
請求項１０の発明は、請求項８または請求項９に記載のデータミキシング装置であって、各端末から送信する際のタイミングを表わすタイミング指標をミキシングパケットに付加する手段をさらに備えることを特徴とする。
【手続補正７】
【補正対象書類名】明細書
【補正対象項目名】００２０
【補正方法】変更
【補正の内容】
【００２０】
請求項１１の発明は、端末装置群を構成する各端末より送出がなされる、所定の同期用情報および前記送出の際の送出タイミングを表わすタイミング指標を含む同期パケットデータ、または前記同期用情報もしくは前記タイミング指標を含まないパケットデータにより構成される伝送パケットデータに基づいて生成されたミキシングパケットデータを受信し、当該受信したミキシングパケットデータに含まれる前記同期用情報および前記タイミング指標に基づいて同期が確立したかどうかを判断する同期確立手段と、前記ミキシングパケットの受信の際、前記同期確立手段が前記ミキシングパケットの受信における同期が確立したと判断するまでは前記ミキシングパケットを廃棄すると共に、前記同期確立手段が前記同期が確立したと判断した以降における前記ミキシングパケットを維持する検査手段と、該検査手段に維持された前記ミキシングパケットから前記各端末より送出された伝送パケットデータを復元する復元手段と、を備えることを特徴とする。


【手続補正８】
【補正対象書類名】明細書
【補正対象項目名】００２１
【補正方法】変更
【補正の内容】
【００２１】
請求項１２の発明は、請求項１１に記載のデータ受信装置であって、前記検査手段が、順次に受信された複数のミキシングパケットデータにおける前記タイミング指標の一連性に基づいて、前記同期が確立したかどうかを判断することを特徴とする。


【手続補正９】
【補正対象書類名】明細書
【補正対象項目名】００２２
【補正方法】変更
【補正の内容】
【００２２】
請求項１３の発明は、請求項１２に記載のデータ受信装置であって、前記伝送パケットデータが音声データを含むとともに、前記検査手段が、前記タイミング指標に基づいて前記各端末との間のデータ送受信の遅延時間を特定する手段を含み、前記データ受信装置が、前記遅延時間の情報に基づいて、自己端末装置から前記ミキシング装置に送信した音声データを、復元された伝送パケットデータから除去するエコーキャンセル手段をさらに備えることを特徴とする。


【手続補正１０】
【補正対象書類名】明細書
【補正対象項目名】００２３
【補正方法】変更
【補正の内容】
【００２３】
請求項１４の発明は、請求項１ないし請求項７のいずれかに記載のデータ送信装置と、請求項１１ないし請求項１３のいずれかに記載のデータ受信装置とを備えることを特徴とする。


【手続補正１１】
【補正対象書類名】明細書
【補正対象項目名】００２４
【補正方法】変更
【補正の内容】
【００２４】
請求項１５の発明は、各端末装置が請求項１４の端末装置として構成された端末装置群と、前記端末装置群とネットワークを介して結合される請求項８ないし請求項１０のいずれかに記載のデータミキシング装置と、を備えることを特徴とする。


【手続補正１２】
【補正対象書類名】明細書
【補正対象項目名】００２５
【補正方法】変更
【補正の内容】
【００２５】
請求項１６の発明は、データを送受信する端末装置における前記データの送信または受信を行う際の同期を確立する方法であって、所定の同期用情報および前記送信の際の送信タイミングを表わすタイミング指標を含む同期パケットデータを伝送パケットデータとして送信する工程と、前記伝送パケットデータに基づいて生成されたミキシングパケットデータを受信し、当該受信したミキシングパケットデータに含まれる前記同期用情報および前記タイミング指標に基づいて同期が確立したかどうかを判断する工程と、を含むことを特徴とする。


【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】変更
【補正の内容】
【００２７】
請求項１７の発明は、コンピュータにおいて実行されることにより、当該コンピュータから伝送パケットデータを送出する際の当該伝送パケットデータを当該コンピュータに生成させるプログラムであって、端末装置群を構成する各端末より入力される入力データから原パケットデータを生成するステップと、前記原パケットデータの一部を同期用情報に変更することで前記端末装置群間における送信および受信の同期確立過程に用いられる同期パケットデータを生成するステップと、前記送信の同期確立過程において前記同期パケットデータを対象パケットデータとする同期が確立した後、前記原パケットデータを前記対象パケットデータとし、当該対象パケットデータを自装置外へ送信する際のタイミングを表わすタイミング指標を前記対象パケットデータに付加して伝送パケットデータを生成するステップと、を含むことを特徴とする。


【手続補正１５】
【補正対象書類名】明細書
【補正対象項目名】００２８
【補正方法】変更
【補正の内容】
【００２８】
請求項１８の発明は、コンピュータにおいて実行されることにより、当該コンピュータに対して送出される伝送パケットデータを当該コンピュータにミキシングさせてミキシングパケットを生成させるプログラムであって、端末装置群を構成する各端末より送出される伝送パケットデータに当該伝送パケットデータが前記端末装置群の内のいずれの端末装置のものであるかを示す識別子を付加するステップと、前記各端末より送出される前記伝送パケットデータが同期用情報を含む同期パケットデータであるか否かを判定するステップと、該判定手段によって前記伝送パケットデータが前記同期パケットデータであると判定される場合に当該伝送パケットデータの前記同期用情報を破棄した残りのデータをダミーパケットデータとして出力するステップと、前記伝送パケットデータが前記同期パケットデータである場合には前記ダミーパケットデータを用いると共に、前記伝送パケットデータが前記同期パケットデータでない場合には当該伝送パケットデータを用いて、前記各端末から送出される前記伝送パケットデータをミキシングして前記識別子に対応するミキシングパケットを生成するステップと、を含むことを特徴とする。


【手続補正１６】
【補正対象書類名】明細書
【補正対象項目名】００２９
【補正方法】変更
【補正の内容】
【００２９】
請求項１９の発明は、コンピュータにおいて実行されることにより、当該コンピュータが受信した伝送パケットデータを当該コンピュータに復元させるためのプログラムであって、端末装置群を構成する各端末より送出される伝送パケットデータおよび当該伝送パケットデータが前記端末装置群の内のいずれの端末装置のものであるかを示す識別子をミキシングされたミキシングパケットの受信の際、当該ミキシングパケットの受信における同期が確立するまでは前記ミキシングパケットを廃棄すると共に、前記同期が確立した以降における前記ミキシングパケットを維持する検査ステップと、該検査ステップに維持された前記ミキシングパケットから前記各端末より送出された伝送パケットデータを復元する復元ステップと、を含むことを特徴とする。


【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００６４
【補正方法】変更
【補正の内容】
【００６４】
図４は、データミキシング装置２０Ｍにおけるデータミキシングの処理フローを示す図である。まず、図３（ｂ）の［６］に示すように、ＣＳＲＣ識別子合成手段２６によって、ミキシングの対象となったそれぞれの伝送パケットの送信元の情報を示すＣＳＲＣ識別子３６から、ＣＳＲＣ識別子情報４１が合成される（ステップＳ３１）。次に、データミキシング手段２７によって、伝送パケットにおいて実質的な音声データを含むペイロード３２の内容がミキシングパケット３８のペイロード４２に合成される（ステップＳ３２、Ｓ３３）。今、ｋ個（ｋ≧３）の端末装置１が用いられ、全ての端末装置１で同期が確立されているとすると、ミキシングパケット３８は、ｋ個の端末装置１についてのＣＳＲＣ識別子情報４１と、ｋ個の端末装置１において発せられた音声をミキシングしたペイロード４２とを備えていることになる。


【手続補正２８】
【補正対象書類名】明細書
【補正対象項目名】０１４９
【補正方法】変更
【補正の内容】
【０１４９】
請求項９の発明によれば、不要なペイロードデータをミキシングすることがないので、ミキシングに伴うノイズを発生させることがなく、トラフィックの負荷の低減もできる。
請求項１０の発明によれば、同期の確立を確実に行うことができる。
【手続補正２９】
【補正対象書類名】明細書
【補正対象項目名】０１５０
【補正方法】変更
【補正の内容】
【０１５０】
請求項１１の発明によれば、最適な伝送状態を実現できる。例えば、端末装置におけるデータの同期の確立の判断を、データ受信装置で行うことができる。


【手続補正３０】
【補正対象書類名】明細書
【補正対象項目名】０１５１
【補正方法】変更
【補正の内容】
【０１５１】
請求項１２の発明によれば、画一的かつ単純な判断基準で同期の確立を行うことができるので、速やかな同期の確立処理が行える。


【手続補正３１】
【補正対象書類名】明細書
【補正対象項目名】０１５２
【補正方法】変更
【補正の内容】
【０１５２】
請求項１３の発明によれば、同期の確立により得られた遅延時間に基づいてエコーキャンセルが行えるので、聞き取りやすい音声データを提供することができる。


【手続補正３２】
【補正対象書類名】明細書
【補正対象項目名】０１５３
【補正方法】変更
【補正の内容】
【０１５３】
請求項１４の発明によれば、最適な伝送状態を実現できる。例えば、端末装置においてデータの同期の確立を行うことができ、送受信の際のデータの遅延時間を知ることができる。


【手続補正３３】
【補正対象書類名】明細書
【補正対象項目名】０１５４
【補正方法】変更
【補正の内容】
【０１５４】
請求項１５の発明によれば、多地点会議システムを構成する端末装置において、データの同期の確立を行うことができ、送受信の際のデータの遅延時間を知ることができる。


【手続補正３４】
【補正対象書類名】明細書
【補正対象項目名】０１５５
【補正方法】変更
【補正の内容】
【０１５５】
請求項１６の発明によれば、最適な伝送状態を実現できる。例えば、特別なプロトコルを利用することなく同期の確立を行うことができ、端末装置におけるデータの遅延時間を知ることができる。また、同期が確立するまでは、不要なペイロードデータをミキシングしないので、ミキシングに伴うノイズを発生させることがなく、トラフィックの負荷も低減できる。また、音声データのエコーキャンセルを精度よく行うことができる。


【手続補正３５】
【補正対象書類名】明細書
【補正対象項目名】０１５６
【補正方法】削除
【補正の内容】
【手続補正３６】
【補正対象書類名】明細書
【補正対象項目名】０１５７
【補正方法】変更
【補正の内容】
【０１５７】
請求項１７の発明によれば、最適な伝送状態を実現できる。例えば、多地点会議の参加者が使用する端末装置におけるデータの遅延時間を知るために必要な、同期の確立を行うことができる。


【手続補正３７】
【補正対象書類名】明細書
【補正対象項目名】０１５８
【補正方法】変更
【補正の内容】
【０１５８】
請求項１８の発明によれば、最適な伝送状態を実現できる。例えば、同一のプロトコルにより送信されてきた通常の会議データと同期パケットデータとを判別することができ、さらに到達した同期パケットに関する情報をミキシングパケットに付与することができる。
【手続補正３８】
【補正対象書類名】明細書
【補正対象項目名】０１５９
【補正方法】変更
【補正の内容】
【０１５９】
請求項１９の発明によれば、最適な伝送状態を実現できる。例えば、端末装置におけるデータの同期の確立の判断を、当該プログラムが読み込まれたコンピュータで行うことができる。
【手続補正３９】
【補正対象書類名】明細書
【補正対象項目名】０１６０
【補正方法】削除
【補正の内容】
【手続補正４０】
【補正対象書類名】明細書
【補正対象項目名】０１６１
【補正方法】削除
【補正の内容】
【手続補正４１】
【補正対象書類名】明細書
【補正対象項目名】０１６２
【補正方法】削除
【補正の内容】
【手続補正４２】
【補正対象書類名】明細書
【補正対象項目名】０１６３
【補正方法】削除
【補正の内容】
【手続補正４３】
【補正対象書類名】明細書
【補正対象項目名】０１６４
【補正方法】削除
【補正の内容】
【手続補正４４】
【補正対象書類名】明細書
【補正対象項目名】０１６５
【補正方法】削除
【補正の内容】
【手続補正４５】
【補正対象書類名】明細書
【補正対象項目名】０１６６
【補正方法】削除
【補正の内容】
【手続補正４６】
【補正対象書類名】明細書
【補正対象項目名】０１６７
【補正方法】削除
【補正の内容】
【手続補正４７】
【補正対象書類名】明細書
【補正対象項目名】０１６８
【補正方法】削除
【補正の内容】
【手続補正４８】
【補正対象書類名】明細書
【補正対象項目名】０１６９
【補正方法】削除
【補正の内容】